(57)【要約】【課題】部位に応じた適切なトレーニングを行うことのできるＥＭＳ装置の提供。【解決手段】パルス信号を発生する本体部２と、該本体部２に対してパルス信号が伝達されるように接続されており、使用者の皮膚に貼り付けられるパッド部３とを備え、前記本体部２は、前記パルス信号を出力する発信部５４と、該発信部５４を制御する制御部２７とを備え、前記制御部２７は、第１周波数に係る前記パルス信号を第２周波数に係る時間おきに前記発信部に出力させるものであって、前記第１周波数は、１５００Hz以上１００００Hz以下の範囲で可変的に設定されており、前記第２周波数は、１５Hz以上３５Hz未満の範囲で固定的または可変的に設定されている【選択図】図３
2019054966.tif 000002
【特許請求の範囲】
【請求項１】
パルス信号を発生する本体部と、該本体部に対してパルス信号が伝達されるように接続されており、使用者の皮膚に貼り付けられるパッド部とを備え、
前記本体部は、前記パルス信号を出力する発信部と、該発信部を制御する制御部とを備え、
前記制御部は、第１周波数に係る前記パルス信号を第２周波数に係る時間おきに前記発信部に出力させるものであって、
前記第１周波数は、１５００Hz以上１００００Hz以下の範囲で可変的に設定されており、
前記第２周波数は、１５Hz以上３５Hz未満の範囲で固定的または可変的に設定されているＥＭＳ装置。
【請求項２】
前記第２周波数は可変的に設定されている、請求項１に記載のＥＭＳ装置。
【請求項３】
前記第１周波数と前記第２周波数との間に、少なくとも、一方の周波数が大きくなると他方の周波数も大きくなるように、前記制御部が前記発信部を制御する周波数相関区間を有する、請求項２に記載のＥＭＳ装置。
【発明の詳細な説明】
【技術分野】
【０００１】
本発明は、筋肉に電気刺激を与えることによりトレーニング効果を得られるＥＭＳ装置に関する。
【背景技術】
【０００２】
この種のＥＭＳ装置として、例えば特許文献１に記載のものがある。このＥＭＳ装置は、パルス信号を発生させる本体部と、本体部からパルス信号が伝達される電極部とを備えている。このＥＭＳ装置を使用する際には、電極部を例えば使用者の皮膚に貼り付けて本体部を駆動させる。貼り付け部位の筋肉にパルス信号が当たることで、電気刺激が与えられることにより、筋肉を収縮及び弛緩させる。これにより、貼り付け部位の筋肉にトレーニング効果を得られる。特許文献１に記載のＥＭＳ装置では、トレーニングモードにおいてパルス出力中の基本波形に係る周波数は一定の５０００Hzとされている（特許文献１の００６１段落）。
【先行技術文献】
【特許文献】
【０００３】
【特許文献１】特開２０１６−２０２６９０号公報
【発明の概要】
【発明が解決しようとする課題】
【０００４】
ここで、人体の部位によって皮下脂肪の厚さは異なっている。特に女性では男性に比べると皮下脂肪の厚い部位が存在する。脂肪は周波数が低いとインピーダンスが高く電流を通しにくい性質があるから、従来のようにトレーニング実施時のパルス出力の周波数が一定のＥＭＳ装置では、周波数の設定によっては、皮下脂肪の奥にある筋肉に対して十分な電気刺激を与えられない場合がある。このため、部位に応じた適切なトレーニングを行いにくかった。
【０００５】
そこで本発明は、部位に応じた適切なトレーニングを行うことのできるＥＭＳ装置の提供を課題とする。
【課題を解決するための手段】
【０００６】
本発明は、パルス信号を発生する本体部と、該本体部に対してパルス信号が伝達されるように接続されており、使用者の皮膚に貼り付けられるパッド部とを備え、前記本体部は、前記パルス信号を出力する発信部と、該発信部を制御する制御部とを備え、前記制御部は、第１周波数に係る前記パルス信号を第２周波数に係る時間おきに前記発信部に出力させるものであって、前記第１周波数は、１５００Hz以上１００００Hz以下の範囲で可変的に設定されており、前記第２周波数は、１５Hz以上３５Hz未満の範囲で固定的または可変的に設定されているＥＭＳ装置である。
【０００７】
上記構成によると、皮下脂肪の厚さに応じて第１周波数の大小を調整できるので、トレーニング効果に関係する第１周波数に係るパルス信号の及ぶ範囲を、皮下脂肪の層を越えて筋肉にまで十分に達させることができる。
【０００８】
そして、前記第２周波数は可変的に設定されることができる。
【０００９】
上記構成によると、第１周波数が小さい場合に生じることがある皮膚への刺激を、刺激を与える回数に関係する第２周波数を小さくすることによって低減できる。
【００１０】
そして、前記第１周波数と前記第２周波数との間に、少なくとも、一方の周波数が大きくなると他方の周波数も大きくなるように、前記制御部が前記発信部を制御する周波数相関区間を有するものとできる。
【００１１】
上記構成によると、第２周波数の調整で皮膚への刺激を低減させつつ、第１周波数に係るパルス信号の及ぶ範囲を、皮下脂肪の層を越えて筋肉にまで十分に達させることができる。
【発明の効果】
【００１２】
本発明によれば、トレーニング効果に関係する第１周波数に係るパルス信号の及ぶ範囲を、皮下脂肪の層を越えて筋肉にまで十分に達させることができる。よって、部位に応じた適切なトレーニングを行うことができる。
【図面の簡単な説明】
【００１３】
【図１】本発明の一実施形態に係るＥＭＳ装置を示す、表面側の斜視図である。
【図２】前記ＥＭＳ装置を示す、裏面（人体への貼り付け面）側の斜視図である。
【図３】前記ＥＭＳ装置の内部構成を示すブロック図である。
【図４】前記ＥＭＳ装置の出力を示す概念図であって、（ａ）は弛緩周波数（第２周波数）に関して示し、（ｂ）は深層周波数（第１周波数）に関し示す。
【図５】人体内部へのパルス信号の到達度合を示す概略図であって、（ａ）は皮下脂肪の多い部位で深層周波数（第１周波数）が低い場合、（ｂ）は皮下脂肪の多い部位で深層周波数（第１周波数）が高い場合、（ｃ）は皮下脂肪の少ない部位で深層周波数（第１周波数）が低い場合を示す。
【図６】深層周波数を５０００Hzとした場合と、２０００Hzとした場合の、上腕二頭筋のトレーニング効果を比較したグラフである。
【図７】前記ＥＭＳ装置の、使用者の正面側における使用例を筋肉の形状と共に示した概略図である。
【図８】前記ＥＭＳ装置の、使用者の背面側における使用例を筋肉の形状と共に示した概略図である。
【発明を実施するための形態】
【００１４】
以下、本発明の一実施形態に係るＥＭＳ装置を、図面を参照しつつ説明する。本実施形態のＥＭＳ装置１は、図１、図２、図３（ブロック図）に示すように、パルス信号を発生する部分である本体部２と、パッド本体３１の一面側に導電性粘着シート３２，３２を有しており、導電性粘着シート３２，３２が人体の使用部位に貼り付けられるパッド部３とを備えている。
【００１５】
本体部２とパッド部３とは着脱可能な一対（＋、−）の端子４，４によって接続されている。なお、各端子４の構造は電気的に接続及び離脱可能な種々の構造を採用できる。この端子４，４により、本体部２とパッド部３とは着脱可能であって、例えば図７及び図８に示すような大型パッド部３Ｌと小型パッド部３Ｓとを取り換えて使用することが可能である。よって、使用部位（具体的にはトレーニング対象の筋肉の大きさ）に最適な大きさのパッド部３を使用することで、適切なトレーニング効果を得ることができる。
【００１６】
図１に示すように、本体部２の表面側には電源・モード操作片２１、パルス信号の出力を強めたり弱めたりする（本実施形態では１５段階）ための強め操作片２２及び弱め操作片が設けられている。また、モード表示部２４が設けられている。
【００１７】
電源・モード操作片２１は、本体部２を駆動させてパルス信号を発生させるよう電源入力することと、後述する深層周波数と弛緩周波数との組み合わせである複数の部位別モード（本実施形態では４つのモード）を切り換えることとを行う操作のためのものである。強め操作片２２および弱め操作片２３は、本体部２から発生するパルス信号の強弱（詳しくはパルス信号における波高値の強弱）を調整する操作のためのものである。強め操作片２２はパルス信号を強くする際に操作され、弱め操作片２３はパルス信号を弱くする際に操作される。本実施形態のＥＭＳ装置１では、制御部２７の出力電圧につき１５段階の強弱指示が可能である。なお、強弱指示の段階はこれに限定されず、適宜設定できる。
【００１８】
電源・モード操作片２１、強め操作片２２、弱め操作片２３は、本実施形態では一体とされており、本体部２の表面側に突出する方向に付勢されている。各操作片２１〜２３は、使用者が指先で押し込むことにより操作される。その際、「カチッ」というクリック感により操作したことを実感できるようになっている。また、強め操作片２２は表面側に突出した凸形状とされており、弱め操作片２３は裏面側に窪んだ凹形状とされている。このため、強め操作及び弱め操作を指先の触覚だけでも把握できるようになっている。
【００１９】
モード表示部２４は、本体部２の内部に設けられた複数のＬＥＤランプが本体部２の外部から視認可能に構成された部分である。モード表示部２４には、部位別モードの設定状態や蓄電池２６の充電状態がＬＥＤランプの点灯態様によって表示される。
【００２０】
本体部２の側面にはＵＳＢポート２５が設けられている。また、本体部２には、蓄電池２６、制御部２７、報知ブザー２８等が内蔵されている。蓄電池２６は、ＵＳＢポート２５に接続されるＵＳＢケーブルにより充電可能とされている。制御部２７の機能については後述する。
【００２１】
次にパッド部３の構成を説明する。パッド部３は、図２に示すように、くびれた長円形状とされたパッド本体３１と、一対の導電性粘着シート３２，３２とを備える。パッド本体３１は、樹脂製で可撓性を有するシート状に形成されている。各導電性粘着シート３２は導電性材料から形成され、パッド本体３１の一面側（使用時に皮膚に接する側）に形成されている。各導電性粘着シート３２は一般的な導電性材料から形成されている。また、パッド本体３１の長手方向両端には、パッド本体３１から突出するようにして、使用者が摘むことのできる摘み片３３，３３が形成されている。
【００２２】
導電性粘着シート３２，３２は、本体部２に接続される一対の端子４，４に対応するよう、長手方向に離間して一対設けられている。導電性粘着シート３２，３２どうしは離間して設けられたことにより、両者が非導通となっている。
【００２３】
図３に示すように、制御部２７は、入力側に、電源・モード操作片２１、強め操作片２２、および弱め操作片２３にそれぞれ連動する電源・モードスイッチ５１、強めスイッチ５２、および弱めスイッチ５３が接続されている。そして出力側に、パルス信号を本体部２の外部に出力する発信部５４が接続されている。制御部２７は、例えばＭＣＵ（集積回路上に形成されたコントローラユニット）を備える。発信部５４は、例えば発振回路および波形生成部を備える。発信部５４の出力チャンネルは単数であっても複数であってもよい。
【００２４】
制御部２７は、電源・モードスイッチ５１のＯＮ信号により発信部５４に駆動信号を出力する機能と、強めスイッチ５２のＯＮ信号により発信部５４にパルス信号の波高値を上昇させるべく波高値上昇信号を出力する機能と、弱めスイッチ５３のＯＮ信号により発信部５４にパルス信号の波高値を下降させるべく波高値下降信号を出力する機能を備えている。
【００２５】
制御部２７は、強めスイッチ５２のＯＮ信号を検知すると、パルス信号の波高値を次第に上昇させるべく波高値上昇信号を出力し、弱めスイッチ５３のＯＮ信号を検知すると、パルス信号の波高値を次第に下降させるべく波高値下降信号を発信部５４に出力する機能を、さらに有している。
【００２６】
これら制御部２７の機能は、パッド部３に本体部２が端子４，４を介して取り付けられ、一対の導電性粘着シート３２，３２が使用者の皮膚に貼り付けられることで、人体を介して導電性粘着シート３２，３２どうしが導通している状態で、蓄電池２６の電力により発揮される。
【００２７】
次に、制御部２７による本実施形態における制御について説明する。まず、人体の筋肉の特性に関して説明する。筋肉は収縮速度の違いにより速筋と遅筋に分類される。ちなみに外観上（色彩）の分類では、速筋が白筋に相当し、遅筋が赤筋に相当する。速筋は高負荷の無酸素運動で鍛えられることにより、人体において筋肥大した体型を作り上げる。一方、遅筋は低負荷な有酸素運動で鍛えられ、運動時に脂肪を効率的に燃焼し、人体において引き締まった身体を作ることができる。本願の発明者は、本実施形態のＥＭＳ装置１につき、女性が引き締まった身体作りを行うものに特化させるべく、筋肉の張力特性に着目して、速筋ではなく専ら遅筋を鍛える制御を行えるよう制御部２７を設定した。
【００２８】
制御部２７は、深層周波数に係るパルス信号を弛緩周波数に係る時間おきに発信部５４に出力させる。前記「深層周波数」は特許請求の範囲に記載の「第１周波数」に相当するもので、皮下脂肪層よりも深層に位置する筋肉（特に遅筋）に到達できるパルス信号の周波数のことを指す。また、前記「弛緩周波数」は特許請求の範囲に記載の「第２周波数」に相当するもので、遅筋に対して疲労の発生を避けつつ、一定時間にわたって鍛えることのできるパルス信号の周波数のことを指す。つまり制御部２７は、深層周波数に係るパルス信号を、弛緩周波数の間隔をおいて発信部５４に出力させるよう構成されている。
【００２９】
深層周波数は、筋肉を収縮させる働きをし、１５００Hz以上１００００Hz以下の範囲で可変的に設定される。本実施形態では最小設定値が２０００Hzで最大設定値が５０００Hzとされており、波形は矩形波である。一方、弛緩周波数は、筋肉を弛緩させる働きをし、１５Hz以上３５Hz未満の範囲で固定的または可変的に設定される。本実施形態では最小設定値が２０Hzで最大設定値が３０Hzと、可変的に設定されている。
【００３０】
本実施形態は、深層周波数及び弛緩周波数が可変的に設定されており、両周波数の組み合わせが以下４つの部位別モードとして設定されている。図４（ａ）（ｂ）に本実施形態のパルス信号を模式的に示す（各グラフの形状は理解を容易にするために略示したものであって、現実のＥＭＳ装置１で生じるパルス信号の波形とは異なる）。図４（ａ）の各グラフ上において波が示された部分が、深層周波数に係るパルス信号が生じている部分である。
モードＡ…深層周波数：５０００Hz、弛緩周波数：３０Hz
モードＢ…深層周波数：４０００Hz、弛緩周波数：２５Hz
モードＣ…深層周波数：３０００Hz、弛緩周波数：２５Hz
モードＤ…深層周波数：２０００Hz、弛緩周波数：２０Hz
【００３１】
また、本実施形態のＥＭＳ装置１は、深層周波数と弛緩周波数との間に、少なくとも、一方の周波数が大きくなると他方の周波数も大きくなるように、制御部２７が発信部５４を制御する周波数相関区間を有する。この周波数相関区間は具体的に、モードＤ（深層周波数が２０００Hzで弛緩周波数が２０Hz）とモードＡ（深層周波数が５０００Hzで弛緩周波数が３０Hz）との間の区間である。なお、一方の周波数と他方の周波数との相関関係は、周波数相関区間の下限と上限との間で成立していればよい。このため、本実施形態でのモードＢとモードＤとでは弛緩周波数が同じ２５Hzであるが、この相関関係に該当している。
【００３２】
深層周波数に関し、前記範囲（１５００Hz以上１００００Hz以下）のうちで低い周波数では、皮下脂肪の厚い部位においては、図５（ａ）に示すように皮下脂肪層Ｆにパルス信号が遮られ、パルス信号の及ぶ範囲Ｒ（二点鎖線で示す）が皮膚層Ｓにとどまっている（図示は２０００Hzの場合）。これでは筋肉Ｍのトレーニング効果はほとんど期待できず、しかも、パルス信号が皮膚層Ｓに集中してしまうので、使用者の皮膚にチクチクした刺激を強く与えてしまう。一方、高い周波数では、皮下脂肪の厚い部位であっても、図５（ｂ）に示すようにパルス信号の及ぶ範囲Ｒが皮下脂肪層Ｆを越えて筋肉Ｍにまで達している（図示は５０００Hzの場合）。こうなると筋肉Ｍのトレーニング効果が期待できるようになる。また、パルス信号が皮膚層Ｓだけにとどまらないから、使用者の皮膚へのチクチクした刺激も低下させられる。
【００３３】
一方、皮下脂肪の薄い部位においては、低い周波数であっても、図５（ｃ）に示すようにパルス信号の及ぶ範囲Ｒが皮下脂肪層Ｆを越えて筋肉Ｍにまで達するようにでき、トレーニング効果が期待できる（図示は２０００Hzの場合）。なお、パルス信号が筋肉Ｍに及ぶ限りにおいては、深層周波数は低い方が高いトレーニング効果を得られる。具体的に、本実施形態においては、パルス信号が筋肉Ｍに及ぶ限りにおいて、深層周波数が上限値の５０００Hzよりも、下限値の２０００Hzの方が高いトレーニング効果を得られる。
【００３４】
ここで、本願の発明者がトレーニング効果の比較実験を行った結果を図６に示す。これは、本実施形態のＥＭＳ装置１を被験者の上腕二頭筋に貼り付け、パルス信号の出力を１５段階での最大出力とし、モードＡ（深層周波数５０００Hz）とモードＤ（深層周波数２０００Hz）とで実験したものである。図６の横軸は時間（単位：msec）であって、ＥＭＳ装置１が約３秒間のＯＮと約３秒間のＯＦＦを繰り返すモード（後述するアフターモード）における約３秒間のＯＮとその前後のＯＦＦの時間とを切り出して図６に示している。また、被験者の腕の先端が当たる位置にロードセルを固定しておき、被験者の肘の屈曲に伴い腕の力で押されたロードセルの出力電圧（単位：V）を「肘屈曲出力」として縦軸に示した。モードＤ（深層周波数２０００Hz）はモードＡ（深層周波数５０００Hz）に比べて、肘屈曲出力がはるかに大きいとの結果が得られた。この結果から、深層周波数が２０００HzのモードＤの方が高いトレーニング効果を得られていることが裏付けられている。
【００３５】
このように、得られるトレーニング効果と皮下脂肪の厚さの観点で、使用部位により最適な深層周波数が異なるため、本実施形態では、異なる深層周波数とした複数の部位別モードが設定されている。
【００３６】
弛緩周波数に関し、前記範囲（１５Hz以上３５Hz未満）のうちで高い周波数の方が、筋肉のトレーニング効果は高い。深層周波数の電気刺激を筋肉に与える頻度が大きいためである。ここで、遅筋は約３０Hzで強縮（単収縮（単発的な収縮）が融合することにより、大きな張力が生じて完全に収縮すること）する。一方、速筋は約３０Hzでは強縮せずに約１００Hzで強縮する。このため、前記範囲は遅筋のトレーニング効果に特化した範囲と言える。
【００３７】
しかし、弛緩周波数が高い方が刺激の頻度が高くなるので、皮膚へのチクチクした刺激は強くなってしまう。このため、刺激を軽くするために、深層周波数の設定を考慮しつつ周波数を適宜低下させて設定する。本実施形態では、深層周波数２０００Hzでは皮膚への刺激が強いので、刺激の頻度を低下させるために弛緩周波数を２０Hzに低下させている。また、深層周波数４０００Hz及び３０００Hzでは弛緩周波数を２５Hzに低下させている。
【００３８】
ちなみに、弛緩周波数が３５Hz以上では、筋肉（特に遅筋）が完全強縮（刺激と刺激との間で筋肉が全く弛緩しないこと）を起こすことで疲労してしまい、時間とともに筋肉に生じる張力が低下してしまう。そうなると、一定時間の運動（有酸素運動）が必要な遅筋に対してはトレーニング効果が出なくなってしまう。そして、弛緩周波数が１５Hz未満では、筋肉が単収縮となるので負荷が低くなり過ぎて、トレーニング効果が出なくなってしまう。
【００３９】
本実施形態では、モードＡは皮下脂肪の厚さが２５mm以上の部位での使用を想定しており、モードＢは皮下脂肪の厚さが２０mm以上２５mm未満の部位での使用を想定しており、モードＣは皮下脂肪の厚さが１０mm以上２０mm未満の部位での使用を想定しており、モードＤは皮下脂肪の厚さが０mm以上１０mm未満の部位での使用を想定している。
【００４０】
前記周波数相関区間において、モードＤからモードＡへの深層周波数の増大は、皮下脂肪の厚さへの対策によるものである。一方、モードＤからモードＡへの弛緩周波数の増大は、皮膚に与える刺激への対策によるものである。
【００４１】
このように深層周波数及び弛緩周波数が設定されたことにより、皮膚へのチクチクした刺激を低下させつつ、男性に比べて皮下脂肪の厚い女性であっても、パルス信号を筋肉（特に遅筋）へと確実に及ぼすことができるので、適切に筋肉をトレーニングでき引き締まった身体を作っていける。なお、本実施形態に関して言う「トレーニング」は、筋肥大させるよう作用させるのではなく、脂肪を効率的に燃焼して引き締まった身体とする作用をなすトレーニングのことである。このように、遅筋に最適なトレーニングを行うことで、筋肉を大きくすることなく、理想的な体型（例えば締まった体型）作りを行ったり維持したりすることを希望する人（特に女性）にとって、最適なＥＭＳ装置１を提供できる。
【００４２】
次に、本実施形態に係るＥＭＳ装置１の使用方法の一例につき説明する。図７は、使用者Ｐの正面側における使用例をまとめて、筋肉の形状と共に示した概略図であり、図８は、使用者Ｐの背面側における使用例をまとめて、筋肉の形状と共に示した概略図である。なお、本実施形態のパッド部３として、図示のように大型パッド部３Ｌと小型パッド部３Ｓの二種が用意されており、使用部位に応じて使い分けできるようにされている。
【００４３】
図７に示す使用状態Ｕ１では腹直筋のトレーニングを行うことができる。標準体型の女性の場合（以下同じ）、推奨の部位別モードはモードＡである。使用状態Ｕ２では腹斜筋のトレーニングを行うことができる。推奨の部位別モードはモードＡである。使用状態Ｕ３では大腿四頭筋のトレーニングを行うことができる。推奨の部位別モードはモードＤである。使用状態Ｕ４では内転筋のトレーニングを行うことができる。推奨の部位別モードはモードＤである。使用状態Ｕ５では前脛骨筋のトレーニングを行うことができる。推奨の部位別モードはモードＤである。
【００４４】
図８に示す使用状態Ｕ６では上腕三頭筋のトレーニングを行うことができる。推奨の部位別モードはモードＣである。使用状態Ｕ７では広背筋のトレーニングを行うことができる。推奨の部位別モードはモードＣである。使用状態Ｕ８では中臀筋のトレーニングを行うことができる。推奨の部位別モードはモードＢである。使用状態Ｕ９では大臀筋のトレーニングを行うことができる。推奨の部位別モードはモードＢである。使用状態Ｕ１０では大腿二頭筋のトレーニングを行うことができる。推奨の部位別モードはモードＤである。使用状態Ｕ１１では下腿三頭筋のトレーニングを行うことができる。推奨の部位別モードはモードＤである。
【００４５】
本実施形態のＥＭＳ装置１で腹直筋のトレーニングを行うことにより、腹を引き締める効果が期待できる。また、中臀筋及び腹斜筋のトレーニングを行うことにより、尻を引き締める効果が期待できる。また、腹斜筋及び大腿四頭筋のトレーニングを行うことにより、ウエストをくびれさせる効果が期待できる。また、大臀筋のトレーニングを行うことにより、尻を引き上げる効果が期待できる。また、内転筋のトレーニングを行うことにより、太ももを引き締める効果が期待できる。また、下腿三頭筋及び広背筋のトレーニングを行うことにより、ふくらはぎを引き締める効果が期待できる。また、上腕三頭筋及び広背筋のトレーニングを行うことにより、二の腕を引き締める効果が期待できる。また、前脛骨筋のトレーニングを行うことにより、脚を引き締める効果が期待できる。
【００４６】
特に本実施形態のＥＭＳ装置１は、使用者がストレッチを行いながら使用すると、より効果的なトレーニングが可能である。具体的には、トレーニング対象の筋肉を伸ばすストレッチを行いながら、ＥＭＳ装置１からパルス信号を及ぼして、深層周波数に係る収縮をストレッチ中の筋肉に行わせる。こうすることにより、筋肉により大きな負荷をかけることができて、トレーニング効果を向上できる。
【００４７】
本実施形態のＥＭＳ装置１では、モードＡ〜Ｄの各々を、開始後１分間で５秒間のＯＮと５秒間のＯＦＦを繰り返すストレッチモードが設定されている。なお、ストレッチモードの終了後は、３秒間のＯＮと３秒間のＯＦＦを繰り返すアフターモードに自動的に移行する。アフターモードはストレッチを行いながらの使用は想定されておらず、例えば使用者が装着したままで通常姿勢（テレビを見ている姿勢等）で過ごすような使用を想定している。なお、ストレッチモード終了と共にＥＭＳ装置１を使用部位から取り外しても構わない。ちなみに、開始後１５分が経過すると自動的に電源が切れるように設定されている。また、使用中に皮膚から導電性粘着シート３２が外れた場合にも自動的に電源が切れる。
【００４８】
使用者Ｐがトレーニング実施中にＥＭＳ装置１の駆動の強弱を調整したい場合には、強め操作片２２あるいは弱め操作片２３を押すことで強め操作および弱め操作を行い、パルス信号に係る電圧の強弱を調整することができる。
【００４９】
また、トレーニングを終了するためにＥＭＳ装置１の駆動を停止させる場合には、使用者Ｐが電源・モード操作片２１を押す（長押し）ことで、電源・モードスイッチ５１からＯＮ信号が出力され、ＥＭＳ装置１の駆動が停止する。
【００５０】
なお、ＥＭＳ装置１を使用部位から取り外すには、使用者Ｐがいずれかの摘み片３３を摘んで導電性粘着シート３２，３２を皮膚から剥がすようにすれば、ＥＭＳ装置１を使用部位から容易に取り外すことができる。
【００５１】
以上、本発明のＥＭＳ装置について一実施形態を説明してきたが、本発明のＥＭＳ装置は、上記実施形態に限定されない。
【００５２】
例えば、前記実施形態では、複数の部位別モードの切り替えを使用者の操作で手動により行っていたがこれに限られず、切り替えを自動的に行うよう構成することもできる。例えば、ＥＭＳ装置とは別に使用される体組成計の測定結果と連携させたり、本体部２に内蔵させたセンサーによって、パルス信号を試験的に身体に流した際に得られる抵抗値から皮下脂肪の厚さを算出したりすることにより、自動的に切り替えを行うこともできる。
【符号の説明】
【００５３】
１…ＥＭＳ装置、２…本体部、３…パッド部、３Ｌ…大型パッド部、３Ｓ…小型パッド部、４…端子、２１…電源・モード操作片、２２…強め操作片、２３…弱め操作片、２４…モード表示部、２５…ＵＳＢポート、２６…蓄電池、２７…制御部、２８…報知ブザー、３１…パッド本体、３２…導電性粘着シート、３３…摘み片、５１…電源・モードスイッチ、５２…強めスイッチ、５３…弱めスイッチ、５４…発信部、Ｆ…皮下脂肪層、Ｍ…筋肉、Ｒ…パルス信号の及ぶ範囲、Ｓ…皮膚層、Ｐ…使用者
【図１】
2019054966.tif 000003
【図２】
2019054966.tif 000004
【図３】
2019054966.tif 000005
【図４】
2019054966.tif 000006
【図５】
2019054966.tif 000007
【図６】
2019054966.tif 000008
【図７】
2019054966.tif 000009
【図８】
2019054966.tif 000010